(57)【要約】      （修正有）【課題】蛍光体の発熱による蛍光体シートの発光効率の低下を抑制する。【解決手段】蛍光体シート１は、励起光Ｌを受けて蛍光を発する蛍光体１ｃを含む。そして、励起光Ｌを受けることによって発生する熱量は、蛍光体シート１の端部よりも中央部の方が小さい。蛍光体シート１において、蛍光体層１ａ側の表面が、励起光Ｌが照射される（励起光Ｌを受光する）受光面１Ｒとなり、放熱層１ｂ側の表面が、蛍光を出射する光出射面１Ｅとなる。【選択図】図２
2016092271.tif 000002
【特許請求の範囲】
【請求項１】
励起光を受けて蛍光を発する蛍光体を含む蛍光体シートであって、
上記励起光を受けることによって発生する熱量は、上記蛍光体シートの端部よりも中央部の方が小さいことを特徴とする蛍光体シート。
【請求項２】
励起光を受けて蛍光を発する蛍光体を含む蛍光体シートであって、
上記蛍光体シートの、所定体積を有する所定領域に含まれる粒子数が、上記蛍光体シートの端部よりも中央部の方が少なく、
上記所定領域は、蛍光体シートの厚さ方向に平行に伸びた領域であり、上記蛍光体シートの幅広の上面および当該上面と対向する底面を含むことを特徴とする蛍光体シート。
【請求項３】
上記粒子数は、上記端部から上記中央部までの各部において、上記各部の熱抵抗値の逆数に比例することを特徴とする請求項２に記載の蛍光体シート。
【請求項４】
上記励起光を受けて蛍光を発する蛍光体層と、
上記蛍光体層の発光による熱を放熱する放熱層と、が積層されて構成されていることを特徴とする請求項２または３に記載の蛍光体シート。
【請求項５】
上記放熱層の厚みは、上記蛍光体シートの端部よりも中央部の方が厚く、
上記蛍光体層の厚みは、上記蛍光体シートの端部よりも中央部の方が薄いことを特徴とする請求項４に記載の蛍光体シート。
【請求項６】
上記蛍光体層の屈折率が上記放熱層の屈折率より大きい場合、上記放熱層の屈折率を上記蛍光体層の屈折率で除した値である屈折率比が０．９８以上となることを特徴とする請求項４または５に記載の蛍光体シート。
【請求項７】
上記蛍光体層の屈折率が、上記放熱層の屈折率より小さいことを特徴とする請求項４または５に記載の蛍光体シート。
【請求項８】
上記放熱層は、上記蛍光体層に含まれる封止材の熱伝導率よりも、高い熱伝導率を有する物質を含むことを特徴とする請求項４から７までのいずれか１項に記載の蛍光体シート。
【請求項９】
上記蛍光体層は、封止材としてガラス系材料を含んでいることを特徴とする請求項４から８までのいずれか１項に記載の蛍光体シート。
【請求項１０】
上記放熱層は、無機材料を含んでいることを特徴とする請求項４から９までのいずれか１項に記載の蛍光体シート。
【請求項１１】
上記蛍光体は、上記蛍光体シートの厚さ方向に一様に分散されており、上記蛍光体シートにおける単位面積当たりの蛍光体の含有量である分散濃度は、上記蛍光体シートの端部よりも中央部の方が低いことを特徴とする請求項２に記載の蛍光体シート。
【請求項１２】
請求項１から１１までのいずれか１項に記載の蛍光体シートと、
上記蛍光体シートに励起光を照射する励起光源と、を備えていることを特徴とする照明装置。
【発明の詳細な説明】
【技術分野】
【０００１】
本発明は、蛍光体の発光を利用する照明装置などに関する。
【背景技術】
【０００２】
従来から、蛍光体を含む発光部の発熱に伴い発光効率が低下することを抑制できる照明装置の開発が進められている。例えば、特許文献１には、セラミック基板に実装された発光素子と、蛍光体層を有するガラス基板とを備えた照明装置が開示されている。この照明装置では、セラミック基板とガラス基板との間の空間は、減圧されているか、もしくは空気より熱伝導率の低い材料で置換されている。
【先行技術文献】
【特許文献】
【０００３】
【特許文献１】特開２０１１−１０９０１０号公報（２０１１年６月２日公開）
【発明の概要】
【発明が解決しようとする課題】
【０００４】
しかしながら、特許文献１に開示された照明装置は、発光素子の発熱による蛍光体層の温度上昇を回避することはできるものの、蛍光体の発熱を原因とする、蛍光体層自体の温度上昇に対応するものではない。
【０００５】
また、蛍光体の発光によって蛍光体層に発生する熱量は当該蛍光体層の各部でほぼ一定であるが、蛍光体層の支持部材から離れた部分において発生する熱を当該パッケージに逃がすことが困難である。そのため、その部分の温度がパッケージに近い部分に比して高くなる。したがって、この構造で発光素子の出力が高い場合、蛍光体層におけるパッケージから離れた部分の温度がパッケージに近い部分に比して非常に高温になり、その部分の発光効率が低下してしまう。そのため、照明装置の明るさが低下してしまうという問題点があった。
【０００６】
本発明は、上記の問題点を解決するためになされたもので、その目的は、蛍光体の発熱による発光効率の低下を抑制することができる蛍光体シートおよび照明装置を提供することにある。
【課題を解決するための手段】
【０００７】
上記の課題を解決するために、本発明の一態様に係る蛍光体シートは、
励起光を受けて蛍光を発する蛍光体を含む蛍光体シートであって、
上記励起光を受けることによって発生する熱量は、上記蛍光体シートの端部よりも中央部の方が小さいという構成を備えている。
【０００８】
また、本発明の一態様に係る蛍光体シートは、励起光を受けて蛍光を発する蛍光体を含む蛍光体シートであって、
上記蛍光体シートを貫通し、上記蛍光体シートの厚み方向に伸びる所定体積の柱状空間内に存在する上記蛍光体の粒子数が、上記蛍光体シートの端部よりも中央部の方が少ないという構成を備えている。
【発明の効果】
【０００９】
本発明の一態様によれば、蛍光体シートの中央部における発光効率の低下を抑制することができ、効率的に蛍光体シートを発光させることができる。
【図面の簡単な説明】
【００１０】
【図１】本発明の実施形態１に係る照明装置の概略構成を示す断面図である。
【図２】本発明の実施形態１に係る蛍光体シートの概略構成を示す断面図である。
【図３】（ａ）は、上記蛍光体シートにおける中心軸および端面の位置関係を示す概略図である。（ｂ）は、従来型蛍光体シートにおける端面からの距離と熱抵抗値との関係を示すグラフである。（ｃ）は、上記蛍光体シートにおける端面からの距離と単位体積当たりの蛍光体の粒子数との関係を示すグラフである。（ｄ）は、上記蛍光体シートにおける端面からの距離と温度との関係を示すグラフである。
【図４】（ａ）は、上記蛍光体シートが放熱層を備えていない場合の比較例としての照明装置の概略構成を示す断面図である。（ｂ）は、上記蛍光体シートが放熱層を備えている場合の上記照明装置の概略構成を示す断面図である。
【図５】本発明の実施形態２に係る蛍光体シートの概略構成を示す断面図である。
【図６】本発明の実施形態２に係る照明装置の概略構成を示す断面図であり、上記蛍光体シートに発生した熱の放熱の原理を説明するための図である。
【図７】本発明の実施形態２に係る照明装置の概略構成を示す断面図であり、上記蛍光体シートの蛍光体層から漏れ出た励起光成分の拡散状態を説明するための図である。
【図８】本発明の実施形態３に係る蛍光体シートの概略構成を示す断面図である。
【図９】本発明の実施形態３に係る照明装置の概略構成を示す断面図であり、上記蛍光体シートに発生した熱の放熱の原理を説明するための図である。
【図１０】（ａ）は、本発明の実施形態４に係る蛍光体シートの概略構成を示す断面図である。（ｂ）は、本発明の実施形態４に係る蛍光体シートの概略構成を示す上面図である。
【図１１】（ａ）は、上記蛍光体シートにおける中心軸および端面の位置関係を示す概略図である。（ｂ）は、上記蛍光体シートにおける端面からの距離と熱抵抗値との関係を示すグラフである。（ｃ）は、上記蛍光体シートにおける端面からの距離と単位体積当たりの蛍光体の粒子数との関係を示すグラフである。（ｄ）は、上記蛍光体シートにおける端面からの距離と温度との関係を示すグラフである。
【図１２】本発明の実施形態５に係る車両用ヘッドライトの概略構成を示す断面図の一例である。
【図１３】本発明の実施形態５に係るエッジライト型白色ＬＥＤバックライトの概略構成を示す断面図の一例である。
【図１４】（ａ）は、本発明の実施形態１に係る蛍光体シートの作製方法の一例を説明するための図である。（ｂ）は、本発明の実施形態４に係る蛍光体シートの作製方法の一例を説明するための図である。
【発明を実施するための形態】
【００１１】
〔実施形態１〕
本発明に係る一実施形態について、図１〜図４に基づいて説明すれば、以下のとおりである。
【００１２】
＜照明装置１００の構成＞
図１は、本発明の一実施形態に係る照明装置１００の概略構成を示す断面図である。照明装置１００は、励起光Ｌを波長変換することで生成した蛍光を照明光として外部へ出射するものであり、図１に示すように、ＬＥＤ素子１１、パッケージ１２および蛍光体シート１を備えている。そして、蛍光体シート１によってパッケージ１２が閉じられることで、空間１３が形成されている。なお、照明装置１００は、励起光Ｌの一部を照明光として外部に出射してもよい。また、蛍光体シート１の詳細については後述する。
【００１３】
（ＬＥＤ素子１１）
ＬＥＤ素子１１は、励起光Ｌを出射する励起光源として機能する発光素子である。励起光Ｌが蛍光体シート１に照射されることにより、蛍光体シート１含まれる蛍光体１ｃが励起され、当該蛍光体１ｃから蛍光が発せられる。ＬＥＤ素子１１が出射する励起光Ｌの波長は、蛍光体シート１に含まれる蛍光体１ｃを励起可能であれば特に限定されない。
【００１４】
なお、発光素子としては、蛍光体シート１に含まれる蛍光体１ｃを励起可能な励起光を出射するものであればよく、ＬＥＤ素子１１に限定される訳ではない。例えば、半導体レーザまたはフィラメントなどの他の励起光源を用いてもよい。
【００１５】
（パッケージ１２）
パッケージ１２は、蛍光体シート１を支持するための断面略凹型の支持部材であり、当該パッケージ１２の内面における底面１２ａ上には、ＬＥＤ素子１１が配置されている。また、パッケージ１２の開口部１２ｂが蛍光体シート１で閉じられることにより、空間１３が形成される。換言すれば、パッケージ１２は、ＬＥＤ素子１１を空間１３内に封じ込めるためのカバー部材であるともいえる。パッケージ１２の材質としては、例えば、ポリフタルアミド（ＰＰＡ）樹脂、またはアルミナなどのセラミックスが挙げられる。
【００１６】
なお、ＬＥＤ素子１１から蛍光体シート１に対して直接照射された励起光Ｌだけでなく、ＬＥＤ素子１１から出射し、パッケージ１２の内面で反射した励起光Ｌも、蛍光体シート１に照射される。
【００１７】
（空間１３）
空間１３は、上述のように、蛍光体シート１によってパッケージ１２が閉じられることで形成される。空間１３の内部は、大気または不活性ガスで充填されていることが好ましい。より好ましくは、窒素などの不活性ガスで充填されているのがよい。また、空間１３内部が減圧されていることも望ましい。
【００１８】
なお、空間１３内部には、液体または固体等の気体以外の物質が挿入されている構成であってもよい。すなわち、ＬＥＤ素子１１と蛍光体シート１との間に空間１３が存在しない構成も本実施形態の範疇に属する。
【００１９】
＜蛍光体シート１の構成＞
次に、図２は、本発明の一実施形態に係る蛍光体シート１の概略構成を示す断面図である。蛍光体シート１は、ＬＥＤ素子１１から出射された励起光Ｌを受けて蛍光を発する部材である。また、蛍光体シート１は、励起光Ｌを蛍光に変換するための波長変換素子であるともいえる。
【００２０】
図２に示すように、蛍光体シート１は板状であり、蛍光体層１ａと、放熱層１ｂとが積層された構造を有している。蛍光体層１ａは、主として蛍光体１ｃおよび封止材１ｄを含んでいる。放熱層１ｂは、主として透明材１ｅを含み、蛍光体シート１に発生した熱を放熱するための層である。
【００２１】
蛍光体シート１において、蛍光体層１ａ側の表面が、励起光Ｌが照射される（励起光Ｌを受光する）受光面１Ｒとなり、放熱層１ｂ側の表面が、蛍光を出射する光出射面１Ｅとなる。なお、蛍光体層１ａと放熱層１ｂとの積層構造については、放熱層１ｂ側の表面が受光面１Ｒとなり、蛍光体層１ａ側の表面が光出射面１Ｅとなるようにしてもよい。
【００２２】
（蛍光体層１ａ）
蛍光体層１ａは、封止材１ｄの内部に蛍光体１ｃの粒子がほぼ一様に分散されている構成となっている。この蛍光体層１ａは、蛍光を出射する側の面（境界面１ｆに相当）が窪んでおり、蛍光体層１ａの厚さは、蛍光体層１ａの端部から中央部に向けて薄くなっている。そのため、図２に示すように、励起光Ｌを受光面１Ｒに対して垂直に照射した場合、励起光Ｌの光路に含まれる蛍光体１ｃの粒子数は、蛍光体層１ａの端部よりも中央部の方が少なくなる。すなわち、蛍光体シート１を貫通し、当該蛍光体シート１の厚さ方向に平行に伸びる所定体積の柱状空間（所定領域）を仮想したとき、当該柱状空間内に存在する蛍光体１ｃの粒子数は、柱状空間２２（蛍光体層１ａの端部に対応）よりも柱状空間２１（蛍光体層１ａの中央部に対応）の方が少ない。なお、上記柱状空間には、蛍光体シート１の幅広の上面（光出射面１Ｅ）および当該上面と対向する底面（受光面１Ｒ）が含まれる。
【００２３】
このような形状にすることにより、蛍光体シート１が励起光Ｌを受光した場合に、蛍光体層１ａの中央部の発熱量を端部の発熱量よりも少なくすることができる。
【００２４】
また、蛍光体層１ａは、図２および図３の（ａ）に示すように、中心軸Ｃ１を基準として左右対称の形状をしていることが好ましい。図３の（ａ）に示す構成では、中心軸Ｃ１は、励起光Ｌの光軸と一致している。
【００２５】
なお、蛍光体層１ａの境界面１ｆの形状は、励起光Ｌを照射した場合における、蛍光体シート１の中央部の温度上昇が抑制されるような形状であれば、本実施形態において採用された形状には限定されない。例えば、上記形状は、蛍光体層１ａの端部から中央部に向けて降りていくような、略階段型の形状であってもよい。
【００２６】
（蛍光体１ｃ）
蛍光体１ｃは、ＬＥＤ素子１１から出射された励起光Ｌを受けて蛍光を発するものであり、照明装置１００から出射される出射光が所望の色味を有するように、励起光Ｌのピーク波長とともにその種類が選択される。
【００２７】
例えば、照明装置１００から出射される光が白色光（疑似白色光）である場合、白色光（疑似白色光）は、等色の原理を満たす３種類の色の混色、または、補色の関係を満たす２種類の混色などで実現できる。この等色または補色の原理・関係に基づき、例えば、ＬＥＤ素子１１から出射される励起光Ｌを青色とし、蛍光体シート１の蛍光を黄色とすることで（補色の関係を満たす２つの色の混色）、疑似白色を実現することができる。
【００２８】
蛍光体１ｃの種類は、１種類でも２種類以上でも構わない。例えば、蛍光体１ｃの種類が１種類の場合で、青色の励起光Ｌを蛍光体シート１に照射して照明装置１００から白色光が出射される場合には、黄色発光蛍光体を用いることができる。黄色発光蛍光体（５６０ｎｍより大きく６００ｎｍ以下の波長範囲にピーク波長を有する蛍光を発する）としては、例えば、セリウム（Ｃｅ）で賦活したイットリウム（Ｙ）−アルミニウム（Ａｌ）−ガーネット（Ｇａｒｎｅｔ）蛍光体である、ＹＡＧ：Ｃｅ蛍光体などが用いられる。
【００２９】
また、２種類以上の場合で、青色の励起光Ｌを蛍光体シート１に照射して照明装置１００から白色光が出射される場合には、緑色発光蛍光体、橙色発光蛍光体および赤色発光蛍光体から選択された蛍光体を用いることができる。緑色発光蛍光体（５１０ｎｍ以上５６０ｎｍ以下の波長範囲にピーク波長を有する蛍光を発する蛍光体）としては、例えば、酸窒化物系の蛍光体（サイアロン蛍光体）である、Ｅｕ２＋がドープされたβ−ＳｉＡＩＯＮ：Ｅｕ蛍光体などが挙げられる。橙色発光蛍光体（５６０ｎｍより大きく６００ｎｍ以下の波長範囲にピーク波長を有する蛍光を発する蛍光体）としては、Ｅｕ２＋がドープされたα−ＳｉＡＩＯＮ：Ｅｕ蛍光体などが挙げられる。赤色発光蛍光体（６００ｎｍより大きく６８０ｎｍ以下の波長範囲にピーク波長を有する蛍光を発する蛍光体）としては、窒化物系の蛍光体である、Ｅｕ２＋がドープされたＣａＡｌＳｉＮ３：蛍光体（ＣＡＳＮ：Ｅｕ蛍光体）などが挙げられる。
【００３０】
そして、２種類以上の組み合わせとしては、β−ＳｉＡＩＯＮ：Ｅｕ蛍光体とＥｕ２＋がドープされたα−ＳｉＡＩＯＮ：Ｅｕ蛍光体との組み合わせ、β−ＳｉＡＩＯＮ：Ｅｕ蛍光体とＣＡＳＮ：Ｅｕ蛍光体との組み合わせ、β−ＳｉＡＩＯＮ：Ｅｕ蛍光体とＥｕ２＋がドープされたα−ＳｉＡＩＯＮ：Ｅｕ蛍光体とＣＡＳＮ：Ｅｕ蛍光体との組み合わせなどが挙げられる。
【００３１】
（封止材１ｄ）
封止材１ｄは、蛍光体１ｃを封止するためのものである。具体的には、蛍光体シート１においては、封止材１ｄの内部に蛍光体１ｃの粒子が一様に分散されているが、蛍光体層１ａの組成は、これに限定されない。例えば、蛍光体層１ａは、蛍光体１ｃの粒子を固めたものであってもよい。例えば、蛍光体層１ａは、熱伝導率の高い材料からなる透明基板上に蛍光体１ｃの粒子を堆積させたものでもよい。
【００３２】
本実施形態では、封止材１ｄの材料として、シリコーン樹脂、アクリル樹脂（ＰＭＭＡ、ＰＬＭＡ等）等の樹脂系材料が用いられる。なお、封止材１ｄは、光透過性（透明性、透光性）の高いものが好ましく、例えば、樹脂系材料に比べて耐久性・耐候性に優れた、ガラス等の透明材料が用いられてもよい。また、励起光Ｌが高出力の場合には、さらに耐熱性が高いものが好ましい。
【００３３】
また、蛍光体層１ａの構成としては、本実施形態のように蛍光体１ｃおよび封止材１ｄからなるもののみに限定されない。例えば、熱伝導性粒子として、透明なフィラーを蛍光体層１ａに含めてもよい。当該フィラーを含めることにより、ＬＥＤ素子１１から出射される励起光Ｌ成分を拡散させることができ、色ムラが低減される。また、当該フィラーは、光吸収が少ないことから、蛍光体層１ａの光利用効率が高まる。そのため、より効率的に蛍光体シート１を発光させることができる。上記フィラーの材質として、アルミナ、シリカ、サファイア、ダイヤモンドなどを用いることができる。
【００３４】
（放熱層１ｂ）
放熱層（発熱抑制層）１ｂは、励起光Ｌの照射によって蛍光体シート１に発生した熱を放熱するためのものであり、主として、蛍光を透過する透明材１ｅを含んでいる。
【００３５】
透明材１ｅには、蛍光体層１ａで発生した熱を放熱しやすいように熱伝導率の高い材料が用いられる。また、透明材１ｅとして、封止材１ｄの材料と同一の材料を用いることが好ましい。このようにすることで、蛍光体層１ａの屈折率と放熱層１ｂの屈折率とがほぼ同一になり、蛍光体層１ａと放熱層１ｂとの境界面における励起光Ｌの反射がほとんど生じなくなる。そのため、励起光Ｌの反射ロスによる発光効率の低下を抑制することができる。
【００３６】
なお、蛍光体層１ａの屈折率が放熱層１ｂの屈折率より大きくなるような透明材１ｅの材料を選択する場合、屈折率比（放熱層１ｂの屈折率／蛍光体層１ａの屈折率）が０．９８以上となるものを選択することが好ましい。なぜなら、蛍光体層１ａと放熱層１ｂとの境界面における光ロス（励起光Ｌのロスと蛍光のロスとの両方を含む）が低減されるからである。
【００３７】
また、蛍光体層１ａの屈折率が放熱層１ｂの屈折率より小さくなるような透明材１ｅの材料を選択することも好ましい。なぜなら、上記境界面での光（励起光Ｌおよび蛍光）の全反射が生じないことから、蛍光体層１ａの境界面１ｆから出射した光が、基本的には全て放熱層１ｂに入射するからである。
【００３８】
ただし、上記透明材１ｅの選択に関する条件は、照明装置１００の構成が、励起光Ｌの光軸上に、ＬＥＤ素子１１、蛍光体層１ａおよび放熱層１ｂの順に配置されている場合に適用されるものである。
【００３９】
放熱層１ｂにおける蛍光体層１ａとの境界面１ｇは、励起光Ｌの光軸を基準として左右対称に、且つ、受光面１Ｒ方向に盛り上がった緩やかな曲面となっている。すなわち、放熱層１ｂは、放熱層１ｂの端部から中央部にむけて、その厚みが厚くなっていく構造となっている。
【００４０】
なお、放熱層１ｂの境界面１ｇの形状は、蛍光体層１ａの境界面１ｆと隙間なく密着した形状であれば、本実施形態において採用された形状には限定されない。
【００４１】
（蛍光体層１ａの形状が有する意義）
図３の（ｃ）に示すように、蛍光体シート１に対して照射された励起光の光路（柱状空間）によって規定される蛍光体シート１の注目部分に含まれる蛍光体１ｃの粒子数（存在量）が、上記注目部分における第１の概念の熱抵抗値の逆数に比例するよう、境界面１ｆは緩やかな曲面になっている。このことは、蛍光体シート１の上記注目部分における蛍光体１ｃの粒子数（存在量）は、当該注目部分と蛍光体シート１との間の距離の逆数に比例すると言い換えることもできる。
【００４２】
上記第１の概念の熱抵抗値（以下、第１熱抵抗値と称する）とは、蛍光体シート１の受光面１Ｒ（または光出射面１Ｅ）に平行な方向に、蛍光体シート１の内部の熱が伝搬するときの熱抵抗値を意味している。注目する蛍光体シート１の部分における第１熱抵抗値は、当該注目する部分と、蛍光体シート１の端部との間の距離に依存している。
【００４３】
図３の（ｃ）には、第１熱抵抗値と正の相関がある端面からの距離と、蛍光体シート１における上記仮想的な柱状空間内（「単位体積あたり」と略称している）の蛍光体の粒子数との関係が示されている。
【００４４】
蛍光体シートの各部における第１熱抵抗値は、蛍光体シートを支持する支持部材への熱の伝わりにくさを表す値である。そして、一般的に第１熱抵抗値は、図３の（ｂ）に示すように、蛍光体シートの中心点（励起光Ｌの光軸上の点）からその端面（パッケージ１２等の高放熱性の支持部材と接触している面）までの距離を、上記中心点から上記各部までの距離で除した値の自然対数に比例する。換言すれば、蛍光体シートの注目部分が上記中心点に近い位置にあるほど、当該注目部分の第１熱抵抗値は大きくなる。
【００４５】
そこで、本実施形態の蛍光体シート１では、中央部の厚みを小さくして（すなわち、中央部の蛍光体の粒子数を減らして）その部分の発熱量を減らすことにより、当該中央部の温度上昇を抑制し、中央部の第１熱抵抗値が大きいという問題点を解消している。
【００４６】
さらに、蛍光体層１ａの形状を上述のように中央部が窪んだ形状にすることで、励起光Ｌを受けることによって蛍光体シート１に発生する熱量を、その端部から中央部にかけて左右対称、且つ、一定の割合で減少させることができる。
【００４７】
（放熱層１ｂを設ける意義）
また、蛍光体層１ａの窪みの部分に放熱層１ｂを補充することで、特に、蛍光体シート１の中央部における第２の概念の熱抵抗値（以下、第２熱抵抗値と称する）を低減させることができる。
【００４８】
上記第２熱抵抗値とは、蛍光体シート１の注目部分から端部へ向けて熱が伝搬するときの熱の伝搬経路の幅に依存した熱抵抗値であり、当該伝搬経路の幅が狭くなると上記第２熱抵抗値が大きくなる。
【００４９】
図４の（ａ）に示すように、比較例としての蛍光体シート１０が、蛍光を出射する側の面（境界面１ｆに相当）が窪んでいる蛍光体層１ａのみで構成される場合、蛍光体層１ａの厚みが端部から中央部に向けて薄くなっていくことから、中央部から端部へ向けて熱が伝搬するときの熱の伝搬経路の幅（断面積）は小さくなっていく。そのため、蛍光体層１ａの中央部の第２熱抵抗値は、蛍光体層１ａの厚みが一定の場合よりも大きくなってしまう。
【００５０】
そこで、図４の（ｂ）に示すように、蛍光体層１ａの窪みの部分に放熱層１ｂを積層させることで、蛍光体層１ａと放熱層１ｂとで構成される蛍光体シート１の厚さを一定にし、蛍光体シート１における上記伝搬経路の幅を一定にしている。この構成により、特に、蛍光体シート１の中央部において、熱を逃がすための経路の幅が拡張されて第２熱抵抗値が低減し、中央部における温度上昇を抑制することができる。
【００５１】
＜蛍光体シート１の効果＞
以上のように、本実施形態によれば、蛍光体シート１の端部よりも中央部の方が、励起光の光路内に存在する蛍光体１ｃの粒子数が少ない。したがって、励起光Ｌを受けることによって蛍光体シート１に発生する熱量は端部よりも中央部の方が小さくなり、当該中央部の温度上昇を抑制することができる。
【００５２】
また、放熱層１ｂを設けることにより、蛍光体シート１の中央部における第２熱抵抗値を小さくすることができる。
【００５３】
そのため、図３の（ｄ）に示すように、蛍光体シート１に励起光Ｌを照射した場合における、蛍光体シート１の中央部の温度上昇を抑制させることができ、各部の温度を略均一にさせることができる。
【００５４】
その結果、蛍光体シート１の中央部における発光効率の低下を抑制することができ、効率的に蛍光体シート１を発光させることができる。また、蛍光体シート１の発光効率ムラを低減させることができ、色ムラの少ない蛍光を出射させることができる。
【００５５】
また、蛍光体シート１の注目部分に含まれる蛍光体１ｃの粒子数が、当該注目部分の熱抵抗値の逆数に比例しているため、上記粒子数は、蛍光体シート１の中心に向かって一定の割合で減少していく。
【００５６】
そのため、励起光Ｌを受けることによって蛍光体シート１に発生する熱量を、その端部から中央部にかけて一定の割合で減少させることができる。その結果、蛍光体シート１に励起光Ｌを照射した場合における、当該蛍光体シート１の各部の温度がより均一になり、その発光効率のムラをより効果的に抑制することができる。
【００５７】
〔実施形態２〕
本発明の他の実施形態について、図５〜図７に基づいて説明すれば、以下のとおりである。なお、説明の便宜上、前記実施形態にて説明した部材と同じ機能を有する部材については、同じ符号を付記し、その説明を省略する。
【００５８】
本実施形態に係る照明装置２００は、蛍光体シート１に代えて蛍光体シート２を備えている点で、実施形態１に係る照明装置１００と異なる。蛍光体シート２は、放熱層２ｂが、蛍光体層２ａに含まれる封止材２ｄの熱伝導率よりも、高い熱伝導率を有する熱伝導性物質（物質）２ｈを含んでいる点で、実施形態１に係る蛍光体シート１と異なる。なお、照明装置２００の構成等については、蛍光体シート１に代えて蛍光体シート２を備えている点以外は照明装置１００と同様であるため、その説明を省略する。
【００５９】
＜蛍光体シート２の構成＞
図５は、本発明の一実施形態に係る蛍光体シート２の概略構成を示す断面図である。蛍光体シート２は、実施形態１に係る蛍光体シート１と同様、ＬＥＤ素子１１から出射された励起光Ｌを受けて蛍光を発する部材であり、励起光Ｌを蛍光に変換するための波長変換素子である。
【００６０】
図５に示すように、蛍光体シート２は板状であり、主として蛍光体２ｃおよび封止材２ｄを含む蛍光体層２ａと、透明材２ｅおよび熱伝導性物質２ｈを含む放熱層２ｂとが積層された構成になっている。
【００６１】
蛍光体シート２において、蛍光体層２ａ側の表面が受光面２Ｒとなり、放熱層２ｂ側の表面が光出射面２Ｅとなる。なお、蛍光体層２ａと放熱層２ｂとの積層構造については、放熱層２ｂ側の表面が受光面２Ｒとなり、蛍光体層２ａ側の表面が光出射面２Ｅとなるようにしてもよい。
【００６２】
なお、蛍光体層２ａ、蛍光体２ｃおよび封止材２ｄについては、実施形態１で説明した蛍光体層１ａ、蛍光体１ｃおよび封止材１ｄと同様のものであるため、その説明を省略する。ただし、封止材２ｄの材料としては、封止材１ｄの材料として用いられたものの他、ガラス等の無機材料が用いられてもよい。
【００６３】
（放熱層２ｂ）
放熱層２ｂは、励起光Ｌの照射によって蛍光体シート２に発生した熱を放熱するためのものであり、透明材２ｅ中に熱伝導性物質２ｈが一様に分散している層である（図５参照）。
【００６４】
熱伝導性物質２ｈとしては、例えば、アルミナ、シリカ、サファイア、ダイヤモンドなどから構成されるフィラーが用いられ、封止材２ｄの熱伝導率よりも高い熱伝導率を有するものが選択される。また、放熱層２ｂの形状は、実施形態１で説明した放熱層１ｂと同様に、放熱層２ｂの境界面２ｇは、励起光Ｌの光軸を基準として左右対称に、且つ、受光面２Ｒ方向に盛り上がった緩やかな曲面となっている。すなわち、放熱層２ｂの端部から中央部にむけて、その厚みが厚くなっていく構造となっている。
【００６５】
また、実施形態１と同様、励起光Ｌの反射ロスによる発光効率の低下を抑制する観点から、透明材２ｅの材料には、封止材２ｄの材料と同一の材料が用いられる。
【００６６】
このように、蛍光体シート２の構成要素として、熱伝導性物質２ｈが含まれた放熱層２ｂを用いることで、蛍光体シート２の熱伝導率が高くなる。そのため、励起光Ｌの照射によって発生した熱をより放熱しやすくなり（図６参照）、蛍光体シート２全体の温度をより低くすることができる。
【００６７】
また、蛍光体層２ａは、端部に比して中央部の方がその厚みが薄いため、特に中央部付近において、蛍光体２ｃが吸収し切れずに励起光Ｌの漏れ出る量が多くなる可能性がある。しかし、蛍光体層２ａに放熱層２ｂを積層させることで、熱伝導性物質２ｈが散乱材として機能し、蛍光体層２ａから漏れ出た励起光Ｌ成分を拡散させることができる（図７参照）。
【００６８】
＜蛍光体シート２の効果＞
以上のように、本実施形態によれば、透明材２ｅは熱伝導性物質２ｈを含んでいることから、放熱層２ｂの熱伝導率が、蛍光体層２ａの熱伝導率に比して高くなる。したがって、励起光Ｌの照射によって蛍光体シート２に発生する熱が外部に逃げやすくなる（蛍光体シート２の放熱能が高まる）。そのため、蛍光体シート２の温度上昇をその全体にわたって低減させることができ、蛍光体シート２の発光効率の低下をより抑制することができる。ひいては、より効率的に蛍光体シート２を発光させることができる。
【００６９】
また、熱伝導性物質２ｈが散乱材として機能することから、放熱層２ｂによって蛍光体層２ａから漏れ出た励起光Ｌ成分を拡散させることができ、当該励起光Ｌ成分の色ムラを低減できる。さらに、蛍光体シート２の温度が略均一になることから、その発光効率ムラも抑制することができる。
【００７０】
さらに、熱伝導性物質２ｈとして用いられる上記フィラーは光吸収が少ないことから、放熱層２ｂの光利用効率は高まる。そのため、より効率的に蛍光体シート２を発光させることができる。
【００７１】
〔実施形態３〕
本発明の他の実施形態について、図８および図９に基づいて説明すれば、以下のとおりである。なお、説明の便宜上、前記実施形態にて説明した部材と同じ機能を有する部材については、同じ符号を付記し、その説明を省略する。
【００７２】
本実施形態に係る照明装置３００は、蛍光体シート１および２に代えて蛍光体シート３を備えている点で、実施形態１および２に係る照明装置１００および２００と異なる。蛍光体シート３は、蛍光体層３ａに含まれる封止材３ｄとしてガラス系材料が用いられ、放熱層３ｂに含まれる透明材３ｅとして無機材料が用いられる点で、実施形態１および２に係る蛍光体シート１および２と異なる。なお、照明装置３００の構成等については、蛍光体シート１および２に代えて蛍光体シート３を備えている点以外は照明装置１００および２００と同様であるため、その説明を省略する。
【００７３】
＜蛍光体シート３の構成＞
図８は、本発明の一実施形態に係る蛍光体シート３の概略構成を示す断面図である。蛍光体シート３は、蛍光体シート１および２と同様、ＬＥＤ素子１１から出射された励起光Ｌを受けて蛍光を発する部材であり、励起光Ｌを蛍光に変換するための波長変換素子である。
【００７４】
図８に示すように、蛍光体シート３は板状であり、主として蛍光体３ｃおよび封止材３ｄを備えた蛍光体層３ａと、透明材３ｅを含む放熱層３ｂとが積層された構成になっている。
【００７５】
蛍光体シート３において、蛍光体層３ａ側の表面が受光面３Ｒとなり、放熱層３ｂ側の表面が光出射面３Ｅとなる。なお、蛍光体層３ａと放熱層３ｂとの積層構造については、放熱層３ｂ側の表面が受光面３Ｒとなり、蛍光体層３ａ側の表面が光出射面３Ｅとなるようにしてもよい。なお、蛍光体３ｃについては蛍光体１ｃおよび２ｃと同様のものであるため、その説明を省略する。また、蛍光体層３ａおよび放熱層３ｂの形状、機能については、蛍光体層１ａおよび２ａ、放熱層１ｂおよび２ｂと同様であるため、その説明を省略する。
【００７６】
（封止材３ｄおよび透明材３ｅ）
封止材３ｄは、蛍光体３ｃを封止するためのものであり、蛍光体シート３においては、
封止材３ｄの内部に蛍光体３ｃの粒子が一様に分散されている。封止材３ｄには、ホウケイ酸塩ガラスまたはアルミノケイ酸塩ガラスなどのガラス系材料が用いられる。また、透明材３ｅには、上記ガラス系材料の他、サファイアなどの無機材料が用いられる。これらの無機材料は、樹脂系材料に比して耐久性・耐候性に優れているという特徴がある。
【００７７】
ここで、励起光Ｌの反射ロスによる発光効率の低下を抑制する観点から、封止材３ｄおよび透明材３ｅの材料は同一であることが好ましいものの、透明材３ｅとしてサファイアを用いた場合に、封止材３ｄとしてサファイアを用いることはできない。なぜなら、サファイアを蛍光体３ｃに混ぜ込むためには１０００℃以上の高温にしてサファイアを溶かす必要があるが、蛍光体３ｃが１０００℃以上の高温に耐えられない可能性があるからである。
【００７８】
したがって、透明材３ｅとしてサファイアを用いた場合であっても、封止材３ｄにはガラス系材料を用いる。ただし、例えば、約１．８の屈折率のガラス系材料を選択すれば、サファイア（屈折率；約１．７７）との屈折率比が０．９８より大きくなる（約０．９８３）。そのため、蛍光体層３ａと放熱層３ｂとの境界面における光ロスは低減される。また、例えば、約１．４５の屈折率のガラス系材料を選択すれば、蛍光体層３ａの屈折率が、放熱層３ｂの屈折率より小さくなる。そのため、上記境界面での光の全反射は発生せず、光ロスは低減される。このように、ガラス系材料を適切に選択すれば、励起光Ｌの反射ロスによる発光効率の低下を抑制することは十分可能である。
【００７９】
ガラス系材料およびサファイアなどの無機材料は、樹脂系材料に比して熱伝導率が高い。したがって、透明材３ｅとして無機材料が用いられることで、蛍光体シート３の熱伝導率がより高くなり、励起光Ｌの照射によって発生した熱をより放熱しやすくなる（図９参照）。そのため、蛍光体シート３全体の温度をより低くすることができる。また、ガラス系材料については、樹脂系材料に比べて耐光性および耐熱性に優れているので、励起光Ｌが高出力の場合であっても変色などの劣化現象が生じにくい。
【００８０】
＜蛍光体シート３の効果＞
以上のように、本実施形態によれば、封止材３ｄとしてガラス系材料を含んでおり、透明材３ｅとして無機材料を含んでいる。これら各材料は、例えば、シリコーンおよびアクリル樹脂等の樹脂系材料に比して熱伝導率が高いことから、蛍光体シート３に発生する熱をより逃しやすくすることができる。また、ガラス系材料を含む無機材料は、樹脂系材料に比して耐久性・耐候性に優れていることから、耐久性・耐候性のより向上した蛍光体シート３を実現することができる。
【００８１】
〔実施形態４〕
本発明の他の実施形態について、図１０および図１１に基づいて説明すれば、以下のとおりである。なお、説明の便宜上、前記実施形態にて説明した部材と同じ機能を有する部材については、同じ符号を付記し、その説明を省略する。
【００８２】
本実施形態に係る照明装置４００は、蛍光体シート１〜３に代えて蛍光体シート４を備えている点で、実施形態１〜３に係る照明装置１００〜３００と異なる。なお、照明装置４００の構成等については、蛍光体シート１〜３に代えて蛍光体シート４を備えている点以外は照明装置１００〜３００と同様であるため、その説明を省略する。
【００８３】
＜蛍光体シート４の構成＞
図１０の（ａ）は、本発明の一実施形態に係る蛍光体シート４の概略構成を示す断面図である。また、図１０の（ｂ）は、上記蛍光体シート４の概略構成を示す上面図である。蛍光体シート４は、蛍光体シート１〜３と同様、ＬＥＤ素子１１から出射された励起光Ｌを受けて蛍光を発する部材であり、励起光Ｌを蛍光に変換するための波長変換素子である。
【００８４】
図１０の（ａ）および（ｂ）に示すように、蛍光体シート４は円板状であり、その中心部は円板状の蛍光体層４１で構成される。また、当該蛍光体層４１の周囲は、複数の略ドーナツ型の蛍光体層で取り囲まれている。蛍光体シート４の中心軸Ｃ４（励起光Ｌの光軸と略一致）を基準として当該蛍光体シート４の端部に向かって、順に、蛍光体層４２、４３、４４と称する。
【００８５】
さらに、蛍光体シート４における円形の表面の一方が受光面４Ｒとなり、他方の面が光出射面４Ｅとなる。なお、蛍光体シート４の形状は、円板形状である必要はなく、例えば、薄板形状で中心部の蛍光体層４１が同じ薄板形状、且つ、蛍光体層４２〜４４がその周りを取り囲むような構成でもよい。この場合、励起光Ｌの光軸を基準として、左右対称の構成になっていることが好ましい。換言すれば、蛍光体シート４が励起光Ｌを受光した場合に発生する熱量が、その端部から中央部に向けて減少していくような、各蛍光体層の構成になっていればよい。
【００８６】
（蛍光体層４１〜４４）
蛍光体層４１〜４４は、封止材４ｄの内部に蛍光体４ｃの粒子が励起光Ｌの光路方向に一様に分散されている構成となっている。換言すれば、蛍光体４ｃの粒子は、蛍光体シート４の厚さ方向に一様に分散されている。ここで、図１１の（ｂ）に示すように、蛍光体シート４における注目する部分が蛍光体シート４の中心点（励起光Ｌの光軸上の点）に近い位置にあるほど、当該部分の熱抵抗値は大きくなる。
【００８７】
そこで、蛍光体シート４では、蛍光体シート４に対して照射された励起光の光路内（上述の仮想的な柱状空間に相当）に存在する蛍光体４ｃの粒子数（存在量）が、当該光路内に位置する蛍光体シート４の部分の熱抵抗値の逆数に比例するよう、蛍光体層４１〜４４に含まれる蛍光体４ｃの含有量（分散濃度）が設定されている。図１１の（ｃ）には、熱抵抗値と正の相関がある端面からの距離と、蛍光体シート４における単位体積あたりの蛍光体の粒子数との関係が示されている。
【００８８】
そのため、蛍光体シート４では、蛍光体４ｃの含有量は、蛍光体シート４の端部よりも中央部の方が低くなっている。すなわち、蛍光体層４１の分散濃度が最も低く、蛍光体層４２、４３、４４の順に分散濃度が高くなっていく。
【００８９】
このような構成にすることにより、蛍光体シート４が励起光Ｌを受光した場合に発生する熱量を、その端部から中央部にかけて左右対称、且つ、段階的に減少させることができる。そのため、図１１の（ｄ）に示すように、蛍光体シート４に励起光Ｌを照射した場合における、蛍光体シート４の中央部の温度上昇を抑制させることができるとともに、各部の温度を略均一にさせることができる。また、蛍光体シート４の発光効率ムラを低減させることができ、色ムラの少ない蛍光を出射させることができる。
【００９０】
なお、蛍光体シート４中の蛍光体層の数については、本実施形態で採用された数（４層）に限定されず、ユーザが蛍光体シート４の温度の均一性をどの程度まで要求するかによって増減させることができる。すなわち、ユーザによる温度の均一性の要求度に応じて、製造者が任意に蛍光体層の数を設定することができる。
【００９１】
封止材４ｄは、蛍光体４ｃを封止するものであり、シリコーン樹脂、アクリル樹脂（ＰＭＭＡ、ＰＬＭＡ等）等の樹脂系材料の他、ガラスなどの透明な無機材料が用いられる。なお、蛍光体４ｃについては、蛍光体１ｃ〜３ｃと同様であるため、その説明を省略する。
【００９２】
＜蛍光体シート４の効果＞
以上のように、本実施形態によれば、蛍光体シート４における分散濃度は、その端部よりも中央部の方が低い。したがって、蛍光体シート４の端部よりも中央部の方が励起光Ｌを受けることによって発生する熱量が小さくなるため、励起光Ｌを受けることによる中央部の温度上昇を抑制することができる。そのため、蛍光体シート４の中央部における発光効率の低下を抑制することができ、効率的に蛍光体シート４を発光させることができる。
【００９３】
〔実施形態５〕
＜車両用ヘッドライト＞
次に、図１２を用いて、本発明の一実施形態に係る車両用ヘッドライト５００の概略構成について説明する。ここで、図１２は、本発明の一実施形態に係る車両用ヘッドライト５００の概略構成を示す断面図である。
【００９４】
図１２に示すように、車両用ヘッドライト５００は、レンズ５０１と上述した照明装置１００とを少なくとも備える。ただし、本実施形態では、照明装置１００は、複数のＬＥＤ素子１１を備えている。そして、励起光Ｌの光軸方向に、蛍光体シート１、レンズ５０１の順に配置される。
【００９５】
なお、車両用ヘッドライト５００のその他の構成については、従来の車両用ヘッドライトと同様であるため、その説明を省略する。また、本実施形態では、車両用ヘッドライト５００は、照明装置１００を備える構成としているが、照明装置１００に代えて、上述した照明装置２００、３００または４００を備えていてもよい。
【００９６】
ＬＥＤ素子１１は、本実施形態のように複数備えられる必要はなく単数であってもよい。また、励起光源として、例えば、レーザ素子のような、ＬＥＤ素子１１以外の発光素子が用いられてもよい。
【００９７】
レンズ５０１は、蛍光体シート１から出射された光を屈折させて、発散または集束させるための光学素子である。本実施形態では、上記蛍光を受光する受光面５０１Ｒが略平面で、且つ、上記蛍光を屈折させて出射する光出射面５０１Ｅが非球面形状となっている。なお、レンズ５０１の形状は上記場合に限定されず、例えば、受光面５０１Ｒおよび光出射面５０１Ｅともに／または球面であってもよい。レンズ５０１に用いられる材料としては、アクリル樹脂、ポリカーボネイド、シリコーン、ホウケイ酸ガラス、ＢＫ７（ビーケーセブン）および合成石英などから適宜選択される。
【００９８】
図１２に示すように、ＬＥＤ素子１１から出射された励起光Ｌは、蛍光体シート１の受光面１Ｒから入射する。蛍光体シート１中の蛍光体１ｃは、入射した励起光Ｌを受けて波長変換された蛍光を発する。そして、蛍光体シート１の光出射面１Ｅから、上記波長変換された蛍光が出射される。
【００９９】
光出射面１Ｅから出射された蛍光は、レンズ５０１の受光面５０１Ｒから入射する。レンズ５０１は、入射した蛍光をその内部で屈折させて光出射面５０１Ｅから出射することで、上記蛍光を発散または集束させる。
【０１００】
上記構成によれば、照明装置１００から出射される光は色ムラが低減されていることから、レンズ５０１から出射される光も色ムラが低減されている。そのため、色ムラが低減された車両用ヘッドライト５００を実現することができる。また、照明装置１００は発光効率が向上していることから、効率的に発光する車両用ヘッドライト５００を実現することができる。
【０１０１】
＜エッジライト型白色ＬＥＤバックライト＞
次に、図１３を用いて、本発明の一実施形態に係るエッジライト型白色ＬＥＤバックライト６００の概略構成について説明する。ここで、図１３は、本発明の一実施形態に係るエッジライト型白色ＬＥＤバックライト６００の概略構成を示す断面図である。
【０１０２】
図１３に示すように、エッジライト型白色ＬＥＤバックライト６００は、導光板６０１と上述した照明装置１００とを少なくとも備える。そして、励起光Ｌの光軸方向に、蛍光体シート１、導光板６０１の順に配置される。上記バックライト６００は、液晶パネルなどの表示パネル（図示しない）における受光面の縁部に対向するよう配置される（エッジライト型）。
【０１０３】
なお、エッジライト型白色ＬＥＤバックライト６００のその他の構成については、従来のエッジライト型白色ＬＥＤバックライトと同様であるため、その説明を省略する。また、本実施形態では、エッジライト型白色ＬＥＤバックライト６００は、照明装置１００を備える構成としているが、照明装置１００に代えて、上述した照明装置２００、３００または４００を備えていてもよい。さらに、エッジライト型のみならず、直下型（表示パネルの受光面全体と対向するように配置される）のバックライトにも適用可能である。
【０１０４】
導光板６０１は、略平板状（直方体形状）であり、幅広の上面が光出射面６０１ａとなり、その反対側の面が底面６０１ｂ、４つの側面のうち蛍光体シート１の光出射面１Ｅと対向する面が受光面６０１ｃとなる。導光板６０１は、蛍光体シート１から出射された線状の光を受光面６０１ｃで受光し、光出射面６０１ａから面状の光を出射する部材である。換言すれば、導光板６０１は、蛍光体シート１から出射された線状の光を、表示パネルへ入射させるための面光源に変換する透明樹脂の板である。
【０１０５】
導光板６０１の形状としては、本実施形態のような平板状の他、楔形形状、船型形状などの種々のものを使用することができる。なた、導光板６０１の構成材料としては、メタクリル樹脂、アクリル樹脂、ポリカーボネイド、ポリエステル樹脂、塩化ビニル樹脂などの透明樹脂などから適宜選択される。
【０１０６】
なお、図１３では、導光板６０１の４つの側面のうち、受光面６０１ｃ側に複数のＬＥＤ素子１１がアレイ状に配置されている場合のみを示している。しかし、例えば、上記４つの側面のうち、２つ以上の側面（互いに対向する２つの側面、隣接する２つの側面など）の側に、複数のＬＥＤ素子１１がアレイ状に配置されていてもよい。また、４つ全ての側面に複数のＬＥＤ素子１１がアレイ状に配置されていてもよい。
【０１０７】
図１３に示すように、ＬＥＤ素子１１から出射された励起光Ｌは、蛍光体シート１の受光面１Ｒから入射する。蛍光体シート１中の蛍光体１ｃは、入射した励起光Ｌを受けて波長変換された蛍光を発する。そして、蛍光体シート１の光出射面１Ｅから、上記波長変換された蛍光が出射される。光出射面１Ｅから出射された蛍光は、導光板６０１の受光面６０１ｃから入射する。導光板６０１は入射した蛍光を光出射面６０１ａまで導光し、当該面から面状の光が出射される。
【０１０８】
上記構成によれば、照明装置１００から出射される光は色ムラが低減されていることから、導光板６０１から出射される光も色ムラが低減されている。そのため、色ムラが低減されたエッジライト型白色ＬＥＤバックライト６００を実現することができる。また、照明装置１００は発光効率が向上していることから、効率的に発光するエッジライト型白色ＬＥＤバックライト６００を実現することができる。
【０１０９】
なお、本実施形態において説明した車両用ヘッドライトおよびエッジライト型白色ＬＥＤバックライトの他、例えば、スポットライトなどにも照明装置１００〜４００を適用することができる。
【０１１０】
〔実施形態６〕
＜蛍光体シート１の作製＞
次に、図１４の（ａ）を用いて、蛍光体シート１の作製方法について説明する。図１４の（ａ）は、蛍光体シート１の作製方法の一例を説明するための概略図である。
【０１１１】
図１４の（ａ）に示すように、例えば、インクノズル（図示しない）を用いて、金型などに蛍光体１ｃを含む封止材１ｄの液滴を滴下し、光硬化または熱硬化などにより滴下した封止材１ｄを硬化させることで、あらかじめ蛍光体層１ａを作製しておく。
【０１１２】
次に、インクノズルを用いて、封止材１ｄと同一の材料からなる透明材１ｅの液滴を蛍光体層１ａの境界面１ｆ上に滴下する。そして、光硬化または熱硬化などにより滴下した液状樹脂を硬化させることで、蛍光体層１ａに放熱層１ｂを積層し、蛍光体シート１を作製する。
【０１１３】
なお、蛍光体シート２および３も、上記と同様の方法により作製することができる。ただし、蛍光体シート２の作製の場合は、熱伝導性物質２ｈのフィラーを含む透明材２ｅの液滴を滴下することで放熱層２ｂを作製する点が異なる。また、蛍光体シート３の作製の場合は、蛍光体層３ａの作製に蛍光体３ｃを含む液状ガラスを滴下し、放熱層３ｂの作製に液状ガラスなどの液状の透明無機材料を滴下する点が異なる。
【０１１４】
また、放熱層３ｂの材料にサファイアを用いる場合、サファイアは高融点のため液状サファイアを滴下するという方法を採用することはできない。そのため、あらかじめ作製しておいた、境界面３ｇが緩やかな曲面状に盛り上がった略凸型のサファイア基板上に、蛍光体３ｃを含む液状ガラスを滴下し、硬化させることで蛍光体シート３を作製する。
【０１１５】
＜蛍光体シート４の作製＞
次に、図１４の（ｂ）を用いて、蛍光体シート４の作製方法について説明する。図１４の（ｂ）は、蛍光体シート４の作製方法の一例を説明するための概略図である。
【０１１６】
図１４の（ｂ）に示すように、例えば、インクノズル（図示しない）を用いて、金型などの表面に、蛍光体４ｃを含む封止材４ｄの液滴を蛍光体層４１〜４４ごとに滴下する。この時、蛍光体層４１の作製に使用される封止材４ｄの液滴中の分散濃度を最も低くする。そして、蛍光体層４２〜４４の順に分散濃度が高くなるよう、各層の作製に使用される封止材４ｄの液滴中の分散濃度を設定しておく。
【０１１７】
次に、金型の表面に滴下された液状の封止材４ｄを光硬化または熱硬化などによって硬化させ、金型から分離することで蛍光体シート４を作製する。
【０１１８】
〔まとめ〕
本発明の態様１に係る蛍光体シート（１、２、３、４）は、
励起光（Ｌ）を受けて蛍光を発する蛍光体（１ｃ、２ｃ、３ｃ、４ｃ）を含む蛍光体シートであって、
上記励起光を受けることによって発生する熱量は、上記蛍光体シートの端部よりも中央部の方が小さい。
【０１１９】
一般に、励起光源と蛍光体シートとが離れて配置されたリモートフォスファー構造においては、蛍光体シートに励起光を照射することで、蛍光体シートの中央部、すなわち、当該蛍光体シートにおける支持部材から離れた部分の温度が非常に高くなる。そして、当該部分の発光効率が低下してしまう。上記の構成によれば、蛍光体シートの端部よりも中央部の方が励起光を受けることによって発生する熱量が小さくなるため、励起光を受けることによる中央部の温度上昇を抑制することができる。そのため、蛍光体シートの中央部における発光効率の低下を抑制することができ、効率的に蛍光体シートを発光させることができる。
【０１２０】
本発明の態様２に係る蛍光体シートは、
励起光を受けて蛍光を発する蛍光体を含む蛍光体シートであって、
上記蛍光体シートの、所定体積を有する所定領域（柱状空間２１、２２）に含まれる粒子数が、上記蛍光体シートの端部よりも中央部の方が少なく、
上記所定領域は、蛍光体シートの厚さ方向に平行に伸びた領域であり、上記蛍光体シートの幅広の上面および当該上面と対向する底面を含む。
【０１２１】
一般に、励起光源と蛍光体シートとが離れて配置されたリモートフォスファー構造においては、蛍光体シートに励起光を照射することで、蛍光体シートの中央部、すなわち、当該蛍光体シートにおける支持部材から離れた部分の温度が非常に高くなる。そして、当該部分の発光効率が低下してしまう。上記の構成によれば、蛍光体シートの端部よりも中央部の方が、所定体積を有する所定領域に含まれる蛍光体の粒子数が少ない。したがって、励起光を受けることによって蛍光体シートに発生する熱量は端部よりも中央部の方が小さくなり、当該中央部の温度上昇を抑制することができる。そのため、蛍光体シートの中央部における発光効率の低下を抑制することができ、効率的に蛍光体シートを発光させることができる。
【０１２２】
本発明の態様３に係る蛍光体シートは、態様２において、
上記粒子数は、上記端部から上記中央部までの各部において、上記各部の熱抵抗値の逆数に比例することが好ましい。
【０１２３】
一般に、蛍光体シートの熱抵抗値は、当該蛍光体シートの端部から中央部に向かって高くなっていき、中央部において最も高くなる。具体的には、上記熱抵抗値は、蛍光体シートの中心点からその端部までの距離を、当該中心から蛍光体シートの各部における中心点までの距離で除した値の自然対数に比例する。上記の構成によれば、蛍光体シートの端部から中央部までの各部における、上記柱状空間内に存在する蛍光体の粒子数が、上記各部の熱抵抗値の逆数に比例することから、上記粒子数は、蛍光体シートの中心に向かって一定の割合で減少していく。したがって、励起光を受けることによって蛍光体シートに発生する熱量を、その端部から中央部にかけて一定の割合で減少させることができる。そのため、蛍光体シートに励起光を照射した場合における、当該蛍光体シートの各部の温度がより均一になり、その発光効率のムラを抑制することができる。
【０１２４】
本発明の態様４に係る蛍光体シート（１、２、３）は、態様２または３において、
上記励起光を受けて蛍光を発する蛍光体層（１ａ、２ａ、３ａ）と、
上記蛍光体層の発光による熱を放熱する放熱層（１ｂ、２ｂ、３ｂ）と、が積層されて構成されていることが好ましい。
【０１２５】
上記の構成によれば、蛍光体シートは、蛍光体層と放熱層とが積層されて構成されていることから、蛍光体層のみの構成に比して、蛍光体シートの熱抵抗値が向上する。そのため、蛍光体シートの中央部の温度上昇をより抑制することができ、より効率的に蛍光体シートを発光させることができる。
【０１２６】
本発明の態様５に係る蛍光体シートは、態様４において、
上記放熱層の厚さは、上記蛍光体シートの端部よりも中央部の方が厚く、
上記蛍光体層の厚さは、上記蛍光体シートの端部よりも中央部の方が薄いことが好ましい。
【０１２７】
上記の構成によれば、蛍光体シートにおける、放熱層の厚さは端部よりも中央部の方が厚く、蛍光体層の厚さは端部よりも中央部の方が薄い。放熱層には蛍光体が含まれていないことから、蛍光体シートに励起光を照射した場合、その端部よりも中央部の方が発生する熱量が少なくなるとともに熱抵抗値が向上する。したがって、蛍光体シートの中央部における温度上昇を抑制することができる。そのため、蛍光体シートの中央部における発光効率の低下を抑制することができ、効率的に蛍光体シートを発光させることができる。
【０１２８】
本発明の態様６に係る蛍光体シートは、態様４または５において、
上記蛍光体層の屈折率が上記放熱層の屈折率より大きい場合、上記放熱層の屈折率を上記蛍光体層の屈折率で除した値である屈折率比が０．９８以上となることが好ましい。
【０１２９】
上記の構成によれば、蛍光体層の屈折率と放熱層の屈折率とがほぼ同一であることから、蛍光体層と放熱層との境界面における光ロス（励起光のロスと蛍光のロスとの両方を含む）がほとんど生じない。そのため、発光効率の低下を抑制することができ、より効率的に蛍光体シートを発光させることができる。
【０１３０】
本発明の態様７に係る蛍光体シートは、態様４または５において、
上記蛍光体層の屈折率が、上記放熱層の屈折率より小さいことが好ましい。
【０１３１】
上記の構成によれば、蛍光体層と放熱層との境界面において光（励起光および蛍光）の全反射が生じないことから、蛍光体層から出射された光は、基本的に全て放熱層に入射する。そのため、発光効率の低下を抑制することができ、より効率的に蛍光体シートを発光させることができる。
【０１３２】
本発明の態様８に係る蛍光体シート（２）は、態様４から７のいずれかにおいて、
上記放熱層（２ｂ）は、上記蛍光体層に含まれる封止材の熱伝導率よりも、高い熱伝導率を有する物質（２ｈ）を含むことが好ましい。
【０１３３】
上記の構成によれば、放熱層の熱伝導率は、蛍光体層の熱伝導率に比して高くなる。したがって、励起光の照射によって蛍光体シートに発生する熱が外部に逃げやすくなる（蛍光体シートの放熱能が高まる）。そのため、蛍光体シートの温度上昇をその全体にわたって低減させることができ、蛍光体シートの発光効率の低下をより抑制することができる。ひいては、より効率的に蛍光体シートを発光させることができる。また、放熱層によって蛍光体層から漏れ出た励起光成分を拡散させることができ、当該励起光成分の色ムラを低減させることができる。さらに、蛍光体シートの温度が略均一になることから、その発光効率ムラも抑制することができる。
【０１３４】
本発明の態様９に係る蛍光体シート（３）は、態様４から８のいずれかにおいて、
上記蛍光体層（３ａ）は、封止材（３ｄ）としてガラス系材料を含んでいることが好ましい。
【０１３５】
上記の構成によれば、蛍光体層は封止材としてガラス系材料を含んでいる。ガラス系材料は、例えば、シリコーンおよびアクリル樹脂等の樹脂系材料に比して熱伝導率が高いことから、封止材として樹脂系材料を使用する場合に比して、蛍光体シートに発生する熱がより外部に逃げやすくなる。そのため、蛍光体シートの温度上昇をその全体にわたって低減させることができる。また、蛍光体シートの温度が略均一になることから、その発光効率ムラも抑制することができる。
【０１３６】
本発明の態様１０に係る蛍光体シート（３）は、態様４から９のいずれかにおいて、
上記放熱層（３ｂ）は、無機材料を含んでいることが好ましい。
【０１３７】
上記の構成によれば、放熱層は無機材料を含んでいる。無機材料は、例えば、シリコーンおよびアクリル樹脂等の樹脂系材料に比して熱伝導率が高いことから、透明材として樹脂系材料を使用する場合に比して、蛍光体シートに発生する熱がより外部に逃げやすくなる（蛍光体シートの放熱能が高まる）。そのため、蛍光体シートの温度上昇をその全体にわたって低減させることができる。また、蛍光体シートの温度が略均一になることから、その発光効率ムラも抑制することができる。さらに、無機材料は、樹脂系材料に比して耐久性・耐候性に優れていることから、耐久性・耐候性のより向上した蛍光体シートを実現することができる。
【０１３８】
本発明の態様１１に係る蛍光体シート（４）は、態様２において、
上記蛍光体（４ｃ）は、上記蛍光体シートの厚さ方向に一様に分散されており、上記蛍光体シートにおける単位面積当たりの蛍光体の含有量である分散濃度は、上記蛍光体シートの端部よりも中央部の方が低いことが好ましい。
【０１３９】
上記の構成によれば、蛍光体シートにおける分散濃度は、その端部よりも中央部の方が低い。したがって、蛍光体シートの端部よりも中央部の方が励起光を受けることによって発生する熱量が小さくなるため、励起光を受けることによる中央部の温度上昇を抑制することができる。そのため、蛍光体シートの中央部における発光効率の低下を抑制することができ、効率的に蛍光体シートを発光させることができる。
【０１４０】
本発明の態様１２に係る照明装置（１００、２００、３００、４００）は、
態様１から１１までのいずれか一の態様に係る蛍光体シート（１、２、３、４）と、
上記蛍光体シートに励起光を照射する励起光源（ＬＥＤ素子１１）と、を備えている。
【０１４１】
上記の構成によれば、蛍光体シートの中央部における発光効率の低下が抑制され、蛍光体シートが効率的に発光する照明装置を実現することができる。
【０１４２】
その他、上記態様１２に係る照明装置を備えた照明器具または車両用前照灯なども、本発明の範疇に入る。これらの構成によれは、上記照明器具または車両用前照灯においても、蛍光体シートの中央部における発光効率の低下を抑制することができ、効率的に蛍光体シートを発光させることができる。
【０１４３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４４】
本発明は、例えば、エッジライト型ＴＶの白色ＬＥＤバックライト、スポットライトおよび車両用のヘッドライトなどに幅広く利用することができる。
【符号の説明】
【０１４５】
１、２、３、４                  蛍光体シート
１１                            ＬＥＤ素子（励起光源）
１ａ、２ａ、３ａ、４１          蛍光体層
１ｂ、２ｂ、３ｂ                放熱層
１ｃ、２ｃ、３ｃ、４ｃ          蛍光体
１ｄ、２ｄ、３ｄ                封止材
１ｅ、２ｅ、３ｅ                透明材
２ｈ                            熱伝導性物質（物質）
４２、４３、４４                蛍光体層
１００、２００、３００、４００  照明装置
【図１】
2016092271.tif 000003
【図２】
2016092271.tif 000004
【図３】
2016092271.tif 000005
【図４】
2016092271.tif 000006
【図５】
2016092271.tif 000007
【図６】
2016092271.tif 000008
【図７】
2016092271.tif 000009
【図８】
2016092271.tif 000010
【図９】
2016092271.tif 000011
【図１０】
2016092271.tif 000012
【図１１】
2016092271.tif 000013
【図１２】
2016092271.tif 000014
【図１３】
2016092271.tif 000015
【図１４】
2016092271.tif 000016